【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
医療用システムにおいて、
制御プロセッサであって、
タイムラインに沿っていつ各イベント及び／又はアラームが生じるかを検出するように、医療用センサからの生理学的状態又は臨床的情報をイベント及びアラーム基準の少なくとも１つと比較し、
前記タイムラインに沿った生理学的状態を示す生理学的又は臨床的情報並びに前記イベント及び／又はアラームの発生に対応する前記タイムラインのセグメントを前記データ記憶部に記憶する、
ようにプログラムされた制御プロセッサと、
前記視覚的レンダリングが表示されるディスプレイと、
ディスプレイコントローラであって、
タイムラインに沿った生理学的状態を示す生理学的又は臨床的データ並びにイベント及び／又はアラームに対応する前記タイムラインに沿ったセグメントを含む選択された患者のデータをデータ記憶部から受信し、
前記タイムラインに沿って延在するバーを含む各イベント／アラームセグメントに対してイベントオブジェクトを作成し、
カラーコーディング、高さコーディング、色強度コーディング、及び文字コーディングの少なくとも１つを使用して各イベントオブジェクトをラベル付けし、
前記ラベル付けされたバー及び前記生理学的又は臨床的データを表示するように前記ディスプレイを制御する、
ようにプログラムされたディスプレイコントローラと、
を有する医療用システム。
【請求項２】
前記制御プロセッサが、
前記イベントが最初に前記制御プロセッサにより検出される時間を示すオンセット時間と、
前記制御プロセッサがアラームに前記イベントの存在を通知させる時間を示す告知時間と、
前記アラームがユーザにより承認される時間を示す承認時間と、
前記イベントがもはやアクティブではない時間を示す解消時間と、
を決定するようにプログラムされる、請求項１に記載のシステム。
【請求項３】
前記ディスプレイコントローラが、
前記バーの色が前記イベントオブジェクトにより表される前記生理学的又は臨床的情報の性質を表すようなカラーコーディング、
前記バーの高さが前記イベントオブジェクトにより表される前記生理学的又は臨床的情報の性質を表すような高さコーディング、
文字が前記イベントオブジェクトにより表される前記生理学的又は臨床的情報の性質をシンボル化するような文字コーディング、
の少なくとも１つを使用して各イベントオブジェクトにラベル付けする、
ようにプログラムされる、請求項１ないし２のいずれか一項に記載のシステム。
【請求項４】
前記ディスプレイコントローラが、
色強度の変化が前記イベントオブジェクトにより表される前記生理学的又は臨床的情報の性質又は重複するイベントを表すような色強度コーディングを使用して各イベントオブジェクトにラベル付けする、
ようにプログラムされる、請求項１ないし３のいずれか一項に記載のシステム。
【請求項５】
前記ディスプレイコントローラが、各イベントオブジェクトの前記バーとのユーザインタラクションを可能にするようにプログラムされ、
一連の関連するイベントオブジェクトは、各関連するイベントオブジェクトが単一の行として表される高レベルデータビューとして前記ディスプレイに表示され、
前記高レベルデータビューは、前記高レベルデータビューの各イベントオブジェクトが別々のサブ行として表示されるように展開可能であり、
前記高レベルデータビューは、前記サブ行が前記単一の行に折り畳まれるように折り畳み可能である、
請求項１ないし４のいずれか一項に記載のシステム。
【請求項６】
前記ディスプレイコントローラが、
各イベントオブジェクトの信頼性又は信号品質レベルを決定し、ここで前記信頼性又は信号品質レベルが前記イベントオブジェクトにより表される前記イベントの妥当性の相対的な信頼性を示し、
前記イベントオブジェクトにより表される前記イベントの信頼性レベルを描くように信頼性コーディングを使用して少なくとも１つのイベントオブジェクトにラベル付けする、
ようにプログラムされる、請求項１ないし５のいずれか一項に記載のシステム。
【請求項７】
前記制御プロセッサが、前記イベントをレンダリングするために前記医療用センサ又は臨床的情報からの前記生理学的状態に存在しない追加のイベントデータを決定するようにプログラムされる、請求項１ないし６のいずれか一項に記載のシステム。
【請求項８】
医療的イベント及びアラームの視覚的レンダリングを発生する方法において、
タイムラインに沿った生理学的状態を示す生理学的又は臨床的情報並びにイベント及び／又はアラームに対応する前記タイムラインに沿ったセグメントを含む選択された患者のデータを受信するステップと、
前記タイムラインに沿って延在するバーを含む各イベント／アラームセグメントに対するイベントオブジェクトを作成するステップと、
カラーコーディング、高さコーディング、色強度コーディング、及び文字コーディングの少なくとも１つを使用して各イベントオブジェクトにラベル付けするステップと、
前記ラベル付けされたイベントオブジェクトを表示するステップと、
を有する方法。
【請求項９】
前記タイムラインに沿っていつ各イベント及び／又はアラームが生じるかを検出するように、医療用センサからの生理学的状態をイベント及びアラーム基準の少なくとも１つと比較するステップと、
前記タイムラインに沿った前記生理学的又は臨床的状態を示す生理学的又は臨床的情報並びに前記検出されたイベント及び／又はアラームに対応する前記タイムラインのセグメントを記憶するステップと、
を有する、請求項８に記載の方法。
【請求項１０】
前記イベントが最初に検出される時間を示すオンセット時間と、
アラームが前記イベントの存在を通知する時間を示す告知時間と、
前記アラームが承認される時間を示す承認時間と、
前記イベントがもはやアクティブではない時間を示す解消時間と、
を決定するステップを有する、請求項８に記載の方法。
【請求項１１】
前記各イベントオブジェクトにラベル付けするステップは、
各イベントオブジェクトの色又は色強度が前記イベントオブジェクトにより表される前記生理学的又は臨床的情報の性質を表すようなカラーコーディング又は色強度コーディングを使用するステップ、
高さが前記イベントオブジェクトにより表される前記生理学的又は臨床的情報の性質を表すような高さコーディングを使用するステップ、及び
文字が前記イベントオブジェクトにより表される前記生理学的又は臨床的情報の性質をシンボル化するような文字コーディングを使用するステップ、
の少なくとも１つを有する、請求項８に記載の方法。
【請求項１２】
高レベルデータビューとして単一の行において一連の関連するイベントオブジェクトを表示するステップと、
前記高レベルデータビューのイベントオブジェクトを複数の行において表示するように前記高レベルデータビューを展開するステップと、
前記複数の行を前記単一の行に折り畳むステップと、
を有する、請求項８に記載の方法。
【請求項１３】
各イベントオブジェクトの信頼性レベルを決定するステップであって、前記信頼性レベルが、前記イベントオブジェクトにより表されるイベントの妥当性の相対的な信頼性を示すステップと、
前記イベントオブジェクトにより表されるイベントを作成する測定の妥当性の信頼性のレベルを示すように少なくとも１つのイベントオブジェクトにラベル付けするステップと、
を有する、請求項８に記載の方法。
【請求項１４】
前記イベントをレンダリングするために前記医療用センサ又は臨床的情報からの前記生理学的状態に存在しない追加のイベントデータを決定するステップ、
を有する、請求項８ないし１３のいずれか一項に記載の方法。
【請求項１５】
請求項８ないし１４のいずれか一項に記載の方法を実行するように１以上のプロセッサを制御するソフトウェアを有する非一時コンピュータ可読媒体。